【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
２つ以上の物質を含む混合物である、容器の中に含まれる凍結試料のアリコートを得る方法であって、
試料コアリングデバイスをある場所で前記凍結試料の中へ移動させ、次いで、前記試料から前記試料コアリングデバイスを引き出して、前記場所から取り出された凍結試料コアの形態で前記アリコートを得ること、
を含み、前記場所は、前記凍結試料コア中の少なくとも１つの関心の物質の濃度が、前記凍結試料に存在し得る任意の濃度勾配に関わらず、前記試料中の前記少なくとも１つの関心の物質の総濃度を代表する、半径方向位置になるように選択される、
方法。
【請求項２】
前記場所は、前記試料の幾何学的中心から半径方向にオフセットされる、請求項１に記載の方法。
【請求項３】
前記試料コアリングデバイスを前記凍結試料の中へ移動させることは、前記場所において前記試料の片側から前記試料の対向側まで実質的に幅広く前記試料コアリングデバイスを移動させることを含む、請求項１および２のいずれか１項に記載の方法。
【請求項４】
前記試料は、血漿、血清、尿、全血、臍帯血、他の血液に基づく派生物、脳脊髄液、粘液、腹水、唾液、羊水、精液、涙液、汗、樹液もしくは他の植物由来の流体、動物細胞、植物細胞、原生動物細胞、真菌細胞、細菌細胞、バフィーコート細胞、細胞溶解物、細胞ホモジネート、細胞懸濁液、ミクロソーム、細胞器官、核酸、懸濁液もしくは溶液中の小分子化合物から成る群から選択される物質を含む、請求項１〜３のいずれか１項に記載の方法。
【請求項５】
前記試料は、血清および血漿から成る群から選択される物質を含む、請求項４に記載の方法。
【請求項６】
試料検査システムを使用して、前記試料から任意の凍結試料コアが既に取り出されたかどうかを判定することをさらに含み、前記場所は、前記試料からいかなる凍結試料コアもまだ取り出されていない場所になるように選択される、請求項１〜５のいずれか１項に記載の方法。
【請求項７】
請求項１〜６のいずれか１項に記載の方法を実装するようにプログラムされるか、または配線で接続される、ロボットシステム。
【請求項８】
２つ以上の物質を含む混合物である、容器の中に含まれる凍結試料のアリコートを得る方法であって、
第１の場所で試料コアリングデバイスを前記凍結試料の中へ移動させ、次いで、前記試料から前記試料コアリングデバイスを引き出して、前記第１の場所から取り出された凍結試料コアの形態で第１のアリコートを得ることと、
前記試料コアリングデバイスまたは別の試料コアリングデバイスを、前記第１の場所と異なる前記試料内の半径方向位置を有する第２の場所で、前記凍結試料の中へ移動させ、次いで、前記試料から前記試料コアリングデバイスを引き出して、前記第２の場所から取り出された凍結試料コアの形態で第２のアリコートを得ることと、
前記第１および第２のアリコートを組み合わせて、集合アリコートを形成することと、を含み、前記第１および第２の場所は、前記集合アリコート中の少なくとも１つの関心の物質の濃度が、前記凍結試料に存在し得る任意の濃度勾配に関わらず、前記試料中の前記少なくとも１つの関心の物質の総濃度を代表するように選択される、
方法。
【手続補正２】
【補正対象書類名】明細書
【補正対象項目名】００１９
【補正方法】変更
【補正の内容】
【００１９】
他の目的および特徴は、以下で部分的に明らかになり、部分的に指摘される。
一実施形態において、例えば、以下の項目が提供される。
（項目１）
２つ以上の物質を含む混合物である、容器の中に含まれる凍結試料のアリコートを得る方法であって、
試料コアリングデバイスをある場所で前記凍結試料の中へ移動させ、次いで、前記試料から前記試料コアリングデバイスを引き出して、前記場所から取り出された凍結試料コアの形態で前記アリコートを得ること、
を含み、前記場所は、前記凍結試料コア中の少なくとも１つの関心の物質の濃度が、前記凍結試料に存在し得る任意の濃度勾配に関わらず、前記試料中の前記少なくとも１つの関心の物質の総濃度を代表する、半径方向位置になるように選択される、
方法。
（項目２）
前記場所は、前記試料の幾何学的中心から半径方向にオフセットされる、項目１に記載の方法。
（項目３）
前記試料コアリングデバイスを前記凍結試料の中へ移動させることは、前記場所において前記試料の片側から前記試料の対向側まで実質的に幅広く前記試料コアリングデバイスを移動させることを含む、項目１および２のいずれか１項に記載の方法。
（項目４）
前記試料は、血漿、血清、尿、全血、臍帯血、他の血液に基づく派生物、脳脊髄液、粘液、腹水、唾液、羊水、精液、涙液、汗、樹液もしくは他の植物由来の流体、動物細胞、植物細胞、原生動物細胞、真菌細胞、細菌細胞、バフィーコート細胞、細胞溶解物、細胞ホモジネート、細胞懸濁液、ミクロソーム、細胞器官、核酸、懸濁液もしくは溶液中の小分子化合物から成る群から選択される物質を含む、項目１〜３のいずれか１項に記載の方法。
（項目５）
前記試料は、血清および血漿から成る群から選択される物質を含む、項目４に記載の方法。
（項目６）
試料検査システムを使用して、前記試料から任意の凍結試料コアが既に取り出されたかどうかを判定することをさらに含み、前記場所は、前記試料からいかなる凍結試料コアもまだ取り出されていない場所になるように選択される、項目１〜５のいずれか１項に記載の方法。
（項目７）
項目１〜６のいずれか１項に記載の方法を実装するようにプログラムされるか、または配線で接続される、ロボットシステム。
（項目８）
２つ以上の物質を含む混合物である、容器の中に含まれる凍結試料のアリコートを得る方法であって、
第１の場所で試料コアリングデバイスを前記凍結試料の中へ移動させ、次いで、前記試料から前記試料コアリングデバイスを引き出して、前記第１の場所から取り出された凍結試料コアの形態で第１のアリコートを得ることと、
前記試料コアリングデバイスまたは別の試料コアリングデバイスを、前記第１の場所と異なる前記試料内の半径方向位置を有する第２の場所で、前記凍結試料の中へ移動させ、次いで、前記試料から前記試料コアリングデバイスを引き出して、前記第２の場所から取り出された凍結試料コアの形態で第２のアリコートを得ることと、
前記第１および第２のアリコートを組み合わせて、集合アリコートを形成することと、を含み、前記第１および第２の場所は、前記集合アリコート中の少なくとも１つの関心の物質の濃度が、前記凍結試料に存在し得る任意の濃度勾配に関わらず、前記試料中の前記少なくとも１つの関心の物質の総濃度を代表するように選択される、
方法。
（項目９）
凍結試料から凍結アリコートを得るためのシステムであって、
前記凍結試料を含む複数の容器を支持するためのプラットフォームと、
前記凍結試料の中へ移動させ、次いで、前記凍結試料から引き出すことによって、前記凍結試料から凍結試料コアを取り出すように適合されるコアリングビットを備える、試料コアリングデバイスと、
前記試料コアリングデバイスとプラットフォームとの間で相対的な動きを生じさせ、前記凍結試料から凍結試料コアを取り出すように前記試料コアリングデバイスを動作させるように適合される、ロボットシステムと、
前記ロボットシステムを制御するように適合され、ユーザからの入力を受け付け、前記入力に応答して複数の異なるモードのうちの１つで動作するようにプログラムされるプロセッサと、を備え、前記モードは、以下のパラメータ、すなわち、
（ａ）前記ロボットシステムが、前記凍結試料コアを得るために、前記コアリングビットを前記凍結試料の中へ軸方向に移動させる速度、
（ｂ）前記ロボットシステムが、前記凍結試料コアを得るために、前記コアリングビットを前記凍結試料の中へ軸方向に移動させる力、
（ｃ）前記ロボットシステムが、前記凍結試料コアを得るために、前記コアリングビットを回転させる速度、
（ｄ）前記凍結試料コアを得るために、前記コアリングビットに印加されるトルク、
（ｅ）前記凍結試料コアを得るために、前記コアリングビットを前記凍結試料の中へ軸方向に移動させるときに、前記コアリングビットに印加される衝撃力の量、
（ｆ）そこから前記凍結試料コアが取り出される、前記各試料のそれぞれの中の位置、
（ｇ）前記試料コアリングデバイスを前記凍結試料の中へ移動させる深さ、および
（ｈ）前記凍結試料コアを取り出すために、前記試料コアリングデバイスによって使用されるドリルビットのサイズまたは形状、のうちの１つ以上において互いに異なる、
システム。
（項目１０）
前記試料は、生物学的材料を含む、項目９に記載のシステム。
（項目１１）
前記モードのうちの少なくとも１つは、前記凍結試料に亀裂を生じさせる、または別様には損傷を与えることなく、血清および血漿から成る群から選択される凍結試料からアリコートを取り出すことを容易にするように適合される、項目９および１０のいずれか１項に記載のシステム。
（項目１２）
前記モードのうちの少なくとも１つは、血清、血漿、細胞、尿、固体組織、脳脊髄液およびそれらの組み合わせから成る群から選択される凍結試料からアリコートを取り出すことを容易にするように適合される、項目９および１０のいずれか１項に記載のシステム。
（項目１３）
前記モードのうちの少なくとも１つは、前記試料の劣化を最小限にして、血清および血漿のうちの少なくとも１つを含む凍結試料からアリコートを取り出すことを容易にするように適合される、項目９および１０のいずれか１項に記載のシステム。
（項目１４）
前記モードは、前記ロボットシステムが、前記凍結試料コアを得るために、前記コアリングビットを前記凍結試料の中へ軸方向に移動させる速度において互いに異なる、項目９〜１３のいずれかに記載のシステム。
（項目１５）
前記モードは、前記ロボットシステムが、前記凍結試料コアを得るために、前記コアリングビットを前記凍結試料の中へ軸方向に移動させる力において互いに異なる、項目９〜１４のいずれかに記載のシステム。
（項目１６）
前記モードは、前記ロボットシステムが、前記凍結試料コアを得るために、前記コアリングビットを回転させる速度において互いに異なる、項目９〜１５のいずれかに記載のシステム。
（項目１７）
前記モードは、前記凍結試料コアを得るために、前記コアリングビットに印加されるトルクにおいて互いに異なる、項目９〜１６のいずれかに記載のシステム。
（項目１８）
前記モードは、前記凍結試料コアを得るために、前記コアリングビットを前記凍結試料の中へ軸方向に移動させるときに、前記コアリングビットに印加される衝撃力の量において互いに異なる、項目９〜１７のいずれかに記載のシステム。
（項目１９）
前記モードは、そこから前記凍結試料コアが取り出される、前記各試料のそれぞれの中の位置において互いに異なる、項目９〜１８のいずれかに記載のシステム。
（項目２０）
前記モードは、前記試料コアリングデバイスを前記凍結試料の中へ移動させる深さにおいて互いに異なる、項目９〜１９のいずれかに記載のシステム。
（項目２１）
前記モードは、前記凍結試料コアを取り出すために、前記試料コアリングデバイスによって使用されるドリルビットのサイズまたは形状において互いに異なる、項目９〜２０のいずれかに記載のシステム。
（項目２２）
高精度自動位置決めシステムであって、
フレームと、
前記フレームによって支持され、複数の試料を支持するように適合される、プラットフォームと、
前記フレームによって支持され、試料が前記プラットフォーム上にあるときに前記試料の加熱および冷却のうちの少なくとも１つを行うように動作可能である、温度制御ブロックと、
前記フレームによって支持され、前記プラットフォームから試料を持ち上げ、前記試料を前記プラットフォームに対して移動させ、次いで、前記試料を前記プラットフォームに対して異なる位置に降ろして配置するように適合される、ロボットと、
を備え、前記フレームは、前記プラットフォームが前記温度制御ブロックに接触することなく前記温度制御ブロックに対して移動することを可能にする空隙によって、前記温度制御ブロックが前記プラットフォームから離間されるように、前記温度制御ブロックを支持し、前記フレームは、前記フレームを前記温度制御ブロックの熱膨張または収縮から隔離するように適合される複数のフレクシャーマウントによって、前記温度制御ブロックに接続される、
システム。
（項目２３）
前記プラットフォームは、前記フレームに対して回転するように載置される、ターンテーブルを備える、項目２１に記載のシステム。
（項目２４）
前記フレームに対して回転するように載置される第２のターンテーブルをさらに備え、前記ターンテーブルのそれぞれは、前記フレクシャーマウントによって、前記温度制御ブロックの熱膨張および収縮から機械的に隔離される、項目２２に記載のシステム。
（項目２５）
前記フレクシャーマウントは、それぞれ、曲げ軸に沿って屈曲させるように適合される比較的可撓性のセグメントを備え、前記曲げ軸は、前記フレクシャーマウントが前記軸上で曲がるときに、前記フレキクシャーマウントが前記温度制御ブロックの中央に向かって、またはそこから離れて半径方向に移動するように配向される、項目２１〜２３のいずれか１項に記載のシステム。
（項目２６）
各フレクシャーマウントの前記曲げ軸は、異なる配向にある、項目２４に記載のシステム。
（項目２７）
前記可撓性セグメントは、第１の可撓性セグメントであり、各フレクシャーマウントはさらに、前記第１の可撓性セグメントの前記曲げ軸に実質的に平行である、曲げ軸の周囲で曲がるように適合される、第２の可撓性セグメントを備える、項目２４および２５のいずれか１項に記載のシステム。
（項目２８）
複数の凍結試料から凍結アリコートを取り出すためのシステムであって、
フレームと、
前記フレームによって支持される、筐体と、
前記フレームによって支持され、前記筐体内で前記凍結試料を支持するように適合される、プラットフォームと、
摂氏約０度〜摂氏約−１８０度の範囲の温度に、前記プラットフォーム上および前記筐体内の試料を維持するように適合される、温度制御システムと、
前記プラットフォームから試料を持ち上げ、前記試料を前記プラットフォームに対して移動させ、次いで、前記試料を前記プラットフォームに対して異なる位置に降ろして配置するように適合されるアームを有する、ロボットであって、前記ロボットアームは、前記筐体の外側の場所で前記フレーム上に載置される、ロボットと、
前記ロボットアーム上に載置され、前記凍結試料から凍結試料コアを取り出すように動作可能である、試料コアリングデバイスと、
を備える、システム。
（項目２９）
前記フレームによって支持される、複数のローラーと、前記フレームに対して回転させるために前記ローラーによって回転可能に支持される、ターンテーブルとをさらに備え、前記プラットフォームは、前記ターンテーブル上にあり、前記ローラーは、前記筐体の外縁部に位置付けられる、項目２７に記載のシステム。
（項目３０）
前記プラットフォームの回転を駆動するように適合され、前記筐体の外側に位置付けられる、モーターをさらに備える、項目２７および２８のいずれか１項に記載のシステム。
（項目３１）
前記温度制御システムは、前記ターンテーブルの下に温度制御ブロックを備え、前記ローラーは、前記温度制御ブロックの半径方向外向きに離間される、項目２８および２９のいずれか１項に記載のシステム。
（項目３２）
前記ローラーは、前記ターンテーブルと前記筐体との間に位置付けられる、項目２８〜３０のいずれか１項に記載のシステム。
（項目３３）
前記温度制御システムは、摂氏約−４０度〜摂氏約−１８０度の範囲の温度に、前記プラットフォーム上および前記筐体内の試料を維持するように適合される、項目２７〜３１のいずれか１項に記載のシステム。
（項目３４）
前記温度制御システムは、前記凍結試料が維持される温度を変動させるために、選択的に調整可能である、項目３２に記載のシステム。
（項目３５）
複数の試料容器から凍結試料のアリコートを得て、前記アリコートを複数のアリコート受容容器に移送するためのシステムであって、
少なくとも１つのターンテーブルを含み、前記試料容器および前記アリコート受容容器を支持するための、プラットフォームと、
前記凍結試料の中へ移動させ、次いで、前記凍結試料から引き出すことによって、前記凍結試料から凍結試料コアを取り出すように適合される、試料コアリングデバイスであって、実質的に垂直な軸の周囲で回転可能であり、かつ前記プラットフォームに対して垂直に上下に移動可能であるアーム上で前記プラットフォームの上側に載置される、試料コアリングデバイスと、
前記ターンテーブルの回転を駆動するように適合される、第１のサーボモーターと、
前記アームを回転させるように適合される、第２のサーボモーターと、
前記プラットフォームに対して前記アームを上下に移動させるように適合される、第３のサーボモーターと、
を備え、前記システムは、前記第１、第２、および第３のサーボモーターが、前記システムによって実行することができる以下の機能、すなわち、
（ａ）前記プラットフォームから試料コアリングステーションまで容器を移動させる機能、
（ｂ）前記プラットフォームから、前記試料コアリングステーションから離間されたアリコート受容ステーションまで別の容器を移動させる機能、
（ｃ）前記試料コアリングおよびアリコート受容ステーションの定位置で前記容器を保持および解放するために、１つ以上のクランピング機構を作動および解放させる機能、
（ｄ）前記容器からねじ付きキャップを除去する機能、
（ｅ）そこから試料コアが既に取り出された前記試料の任意の位置の場所を特定するために、前記凍結試料の表面全体にわたって試料検査デバイスからのビームを走査する機能、
（ｆ）凍結試料コアを得るために、試料コアリングデバイスを前記試料容器の中へ移動させる機能、
（ｇ）前記凍結試料コアを、前記アリコート受容ステーションの前記アリコート受容容器に移送する機能、
（ｈ）前記ねじ付きキャップを前記容器上へ戻してねじ込む機能、
（ｉ）前記試料コアリングおよびアリコート受容ステーションから前記プラットフォームまで前記容器を逆に移動させる機能、および
（ｊ）前記試料コアリングデバイスを、洗浄するための洗浄ステーションに移動させる機能、
のうちの１つ以上に対する唯一の位置制御を提供する、システム。
（項目３６）
前記プラットフォームは、第１および第２のターンテーブルを備え、前記第１のサーボモーターは、前記第１および第２のターンテーブルの回転を駆動するように適合される、項目３４に記載のシステム。
（項目３７）
前記試料コアリングおよびアリコート受容ステーションのうちの１つの位置に前記容器を挟持するように動作可能であるクランピングシステムをさらに含み、前記クランピング機構は、前記ターンテーブル上に載置されるトグル機構と、前記ターンテーブルに隣接して載置されるトグル機構アクチュエータとを含み、よって、前記第１のサーボモーターは、前記トグル機構アクチュエータによって動作させることができる場所に前記トグル機構を正確に位置付けるために使用することができる、項目３４に記載のシステム。
（項目３８）
前記アーム上に載置される、把持機構をさらに備え、前記把持機構は、前記ターンテーブルを回転させて、前記試料コアリングおよびアリコート受容ステーションのうちの１つで容器を回転させる間に、ねじ付き容器キャップを保持するように適合される、項目３６に記載のシステム。
（項目３９）
前記システムは、前記第１、第２、および第３のサーボモーターが、前記プラットフォームから前記試料コアリングステーションまで前記容器を移動させるための唯一の位置制御を提供するように構成される、項目３４〜３７のいずれか１項に記載のシステム。
（項目４０）
前記システムは、前記第１、第２、および第３のサーボモーターが、前記プラットフォームから前記アリコート受容ステーションまで前記容器を移動させるための唯一の位置制御を提供するように構成される、項目３４〜３８のいずれか１項に記載のシステム。
（項目４１）
前記システムは、前記第１、第２、および第３のサーボモーターが、前記試料コアリングおよびアリコート受容ステーションの定位置で前記容器を保持および解放するために、前記１つ以上のクランピング機構を作動および解放させるための唯一の位置制御を提供するように構成される、項目３４〜３９のいずれか１項に記載のシステム。
（項目４２）
前記システムは、前記第１、第２、および第３のサーボモーターが、前記容器からねじ付きキャップを除去するための唯一の位置制御を提供するように構成される、項目３４〜４０のいずれか１項に記載のシステム。
（項目４３）
前記システムは、前記第１、第２、および第３のサーボモーターが、そこから凍結試料コアが既に取り出された前記試料の任意の位置の場所を特定するために、前記凍結試料の表面にわたって試料検査デバイスからのビームを走査するための唯一の位置制御を提供するように構成される、項目３４〜４１のいずれか１項に記載のシステム。
（項目４４）
前記システムは、前記第１、第２、および第３のサーボモーターが、凍結試料コアを得るために、試料コアリングデバイスを前記試料容器の中へ移動させるための唯一の位置制御を提供するように構成される、項目３４〜４２のいずれか１項に記載のシステム。
（項目４５）
前記システムは、前記第１、第２、および第３のサーボモーターが、前記凍結試料コアを、前記アリコート受容ステーションの前記アリコート受容容器に移送するための唯一の位置制御を提供するように構成される、項目３４〜４３のいずれか１項に記載のシステム。
（項目４６）
前記システムは、前記第１、第２、および第３のサーボモーターが、前記ねじ付きキャップを前記容器上へ戻してねじ込むための唯一の位置制御を提供するように構成される、項目３４〜４４のいずれか１項に記載のシステム。
（項目４７）
前記システムは、前記第１、第２、および第３のサーボモーターが、前記試料コアリングおよびアリコート受容ステーションから前記プラットフォームまで前記容器を逆に移動させるための唯一の位置制御を提供するように構成される、項目３４〜４５のいずれか１項に記載のシステム。
（項目４８）
前記システムは、前記第１、第２、および第３のサーボモーターが、前記試料コアリングデバイスを、洗浄するための洗浄ステーションに移動させるための唯一の位置制御を提供するように構成される、項目３４〜４６のいずれか１項に記載のシステム。
（項目４９）
前記システムは、パラグラフ（ａ）〜（ｊ）に列記される全ての機能を実行するように動作可能である、項目３４に記載のシステム。
（項目５０）
凍結試料のアリコートを得るためのシステムであって、
凍結試料を含む複数の容器を支持するためのプラットフォームと、
前記凍結試料の中へ移動させ、次いで、前記凍結試料から引き出すことによって、前記凍結試料から凍結試料コアを取り出すように適合されるコアリングビットを備える、試料コアリングデバイスと、
前記試料コアリングデバイスとプラットフォームとの間で相対的な動きを生じさせ、前記凍結試料から試料コアを取り出すように前記試料コアリングデバイスを動作させるように適合される、ロボットシステムと、
そこから凍結試料コアが既に取り出された凍結試料内の１つ以上の場所を検出するように適合される、試料検査システムと、
を備え、前記試料検査システムは、前記センサと前記試料の表面との間の距離を検出するように適合される飛行時間距離センサを備える、
システム。
（項目５１）
前記飛行時間センサは、電磁放射線のビームを前記試料の表面の上へ放射するように適合される、電磁放射線の供給源と、前記試料の前記表面によって反射された電磁放射線を検出するように適合される、検出器と、前記供給源が前記ビームを放射した時間と、前記検出器が前記反射した電磁放射線を検出した時間との間の時間差を示す信号を出力するように適合される、プロセッサと、を備える、項目４９に記載のシステム。
（項目５２）
前記飛行時間センサは、音響信号を放射するように適合される音響信号源と、前記試料の表面によって反射された前記音響信号の反響を検出するように適合される検出器と、前記音響信号が放射された時間と、前記反響が検出された時間との間の時間差を示す信号を出力するように適合されるプロセッサとを備える、項目４９に記載のシステム。
（項目５３）
凍結試料のアリコートを得るためのシステムであって、
凍結試料を含む複数の容器を支持するためのプラットフォームと、
前記凍結試料の中へ移動させ、次いで、前記凍結試料から引き出すことによって、前記凍結試料から凍結試料コアを取り出すように適合されるコアリングビットを備える、試料コアリングデバイスと、
前記試料コアリングデバイスとプラットフォームとの間で相対的な動きを生じさせ、前記凍結試料から試料コアを取り出すように前記試料コアリングデバイスを動作させるように適合される、ロボットシステムと、
そこから凍結試料コアが既に取り出された凍結試料内の１つ以上の場所を検出するように適合される、試料検査システムと、
を備え、前記試料検査システムは、コアリングされた可能性のある前記試料の表面を撮像するように適合される撮像システムと、それぞれの試料の前記コアリングされた可能性のある表面の一部分だけに対応する画像を分析し、前記一部分がコアリングされたかどうかを判定するようにプログラムされるプロセッサとを備える、
システム。
（項目５４）
凍結試料のアリコートを得るためのシステムであって、
凍結試料を含む複数の容器を支持するためのプラットフォームと、
前記凍結試料の中へ移動させ、次いで、前記凍結試料から引き出すことによって、前記凍結試料から凍結試料コアを取り出すように適合されるコアリングビットを備える、試料コアリングデバイスと、
前記試料コアリングデバイスとプラットフォームとの間で相対的な動きを生じさせ、前記凍結試料から試料コアを取り出すように前記試料コアリングデバイスを動作させるように適合される、ロボットシステムと、
そこから凍結試料コアが既に取り出された凍結試料内の１つ以上の場所を検出するように適合される、試料検査システムと、
を備え、前記試料検査システムは、コアリングされた可能性のある試料の表面が拡散様式で光を反射する物理的特徴を有するかどうかに関わらず、前記コアリングされた可能性のある試料の表面が特定の場所でコアリングされたかどうかを判定するように動作可能である、センサを備える、
システム。
（項目５５）
前記試料検査システムは、画像分析システム、ビジョン検査システム、共焦点撮像システム、光学プロフィロメータ、飛行時間距離センサ、デジタルカメラ、およびそれらの組み合わせから成る群から選択されるセンサを備える、項目５３に記載のシステム。
（項目５６）
前記試料システムは、前記凍結試料の上面の１つ以上の穴を検出するように適合される、光学変位センサを備える、項目５３に記載のシステム。
（項目５７）
前記ロボットシステムは、前記試料コアリングデバイスを支持するアームを備え、前記試料検査システムは、前記アーム上に載置される、項目４９〜５５のいずれか１項に記載のシステム。